(57)【要約】【課題】他の画像中にコード画像を埋め込むことができる技術を応用して真贋判定を行うことを可能にした真贋判定システム、真贋判定装置、真贋判定プログラムおよび真贋判定方法の提供。【解決手段】各商品Ｇに付された識別コードおよび傾き補正コードを含むブランドシール３がデジタルカメラ付き携帯電話機４により撮影され、この撮影された写真画像データが真贋判定装置２へ送信されると、真贋判定装置２は、この写真画像データを取得し、写真画像データに含まれる傾き補正コードから写真画像データに含まれる識別コードを正しい向きで抽出し、抽出した識別コードから識別情報をデコードし、デコードされた識別情報に基づいてデータベース１に商品情報を照会し、商品の真贋を判定する。【選択図】図１
2009159474.tif 000002
【特許請求の範囲】
【請求項１】
真正商品であることを特定するための商品情報と、各商品情報に関連付けられる識別情報とを管理するデータベースと、
各商品に付される画像印刷物であって、前記識別情報が２ビット以上の階調の画素から構成される識別コードにエンコードされて含まれ、かつ前記識別コードの傾きを補正するための傾き補正コードが含まれた画像印刷物と、
デジタルカメラにより撮影され、送信される、前記画像印刷物を含む２ビット以上の階調の画素からなる写真画像データを取得するデータ取得手段と、前記写真画像データに含まれる傾き補正コードから前記写真画像データに含まれる識別コードを正しい向きで抽出するコード抽出手段と、前記抽出した識別コードから前記識別情報をデコードするデコード手段と、前記デコードされた識別情報に基づいて前記データベースに商品情報を照会し、商品の真贋を判定する判定手段とを有する真贋判定装置と
から構成される真贋判定システム。
【請求項２】
前記画像印刷物には、前記識別コードおよび傾き補正コードのセットが角度を変えて複数含まれることを特徴とする請求項１記載の真贋判定システム。
【請求項３】
前記傾き補正コードは、前記識別コードが含まれる領域を囲むように離間して配置された複数のコードのセットからなり、
前記コード抽出手段は、前記写真画像データの中から前記傾き補正コードを構成する複数のコードのセットを検出することにより、この検出された複数のコードに囲まれる領域内の識別コードを正しい向きの識別コードとして抽出するものである
ことを特徴とする請求項２記載の真贋判定システム。
【請求項４】
前記傾き補正コードは、前記識別コードが含まれる領域を挟む複数の基準線のセットからなり、
前記コード抽出手段は、前記写真画像データの中から前記複数の基準線のセットを検出し、この検出された複数の基準線の傾きおよび間隔から、この検出された複数の基準線に挟まれた領域内の識別コードの傾きを補正して抽出するものである
ことを特徴とする請求項１記載の真贋判定システム。
【請求項５】
真正商品であることを特定するための商品情報と、各商品情報に関連付けられる識別情報とを管理するデータベースに照会可能な真贋判定装置であって、
デジタルカメラにより撮影され、送信される、各商品に付される画像印刷物であって、前記識別情報が２ビット以上の階調の画素から構成される識別コードにエンコードされて含まれ、かつ前記識別コードの傾きを補正するための傾き補正コードが含まれた画像印刷物を含む２ビット以上の階調の画素からなる写真画像データを取得するデータ取得手段と、
前記写真画像データに含まれる傾き補正コードから前記写真画像データに含まれる識別コードを正しい向きで抽出するコード抽出手段と、
前記抽出した識別コードから前記識別情報をデコードするデコード手段と、
前記デコードされた識別情報に基づいて前記データベースに商品情報を照会し、商品の真贋を判定する判定手段と
を有する真贋判定装置。
【請求項６】
コンピュータを請求項５記載の真贋判定装置として機能させるための真贋判定プログラム。
【請求項７】
真正商品であることを特定するための商品情報と、各商品情報に関連付けられる識別情報とを管理するデータベースに照会可能な真贋判定装置による真贋判定方法であって、
デジタルカメラにより撮影され、送信された各商品に付される画像印刷物であって、前記識別情報が２ビット以上の階調の画素から構成される識別コードにエンコードされて含まれ、かつ前記識別コードの傾きを補正するための傾き補正コードが含まれた画像印刷物を含む２ビット以上の階調の画素からなる写真画像データを取得すること、
前記写真画像データに含まれる傾き補正コードから前記写真画像データに含まれる識別コードを正しい向きで抽出すること、
前記抽出した識別コードから前記識別情報をデコードすること、
前記デコードされた識別情報に基づいて前記データベースに商品情報を照会し、商品の真贋を判定すること
を含む真贋判定方法。
【発明の詳細な説明】
【技術分野】
【０００１】
本発明は、デジタルカメラ付き携帯電話機やデジタルカメラが接続されたＰＤＡ（Personal Digital Assistant：携帯情報端末）等のデジタルカメラを利用して商品の真贋を判定するための真贋判定システム、真贋判定装置、真贋判定プログラムおよび真贋判定方法に関する。
【背景技術】
【０００２】
デジタルカメラ付き携帯電話機を利用して商品の真贋を判定するシステムとして、例えば特許文献１，２に記載のものが知られている。これらのシステムでは、商品に貼り付けられた２次元コードやバーコードなどのコード画像をデジタルカメラ付き携帯電話機により読み取り、この携帯電話機によりデコードしたコードデータをサーバに送信して真贋判定を行う。
【０００３】
また、特許文献３に記載のシステムでは、商品に貼り付けられた２次元コードの画像をデジタルカメラ付き携帯電話機により読み取り、この読み取った画像データをサーバに送信することにより商品の真贋判定を行う。また、特許文献４，５には、デジタルカメラ付き携帯電話機により読み取ったバーコードの画像データをサーバに送信して解析を行う技術が記載されている。
【０００４】
一方、特許文献６，７には、２次元コードよりも大量なデータを紙上に保存できる技術として、コンピュータデータを埋め込む対象となる画像の各階調を変えないように、網点の形状の違いによって、コンピュータデータのコードを、０から９およびＡからＦを示す１６個の符号のコード値のうちのいずれかのコード値を有するスクリーンコードに変換して暗号化し、この暗号化されたスクリーンコードを画像に埋め込み、新たな画像として紙上に印刷出力する方法が記載されている。
【０００５】
【特許文献１】特開２００７−２９９１７９号公報
【特許文献２】特開２００４−２１３３７２号公報
【特許文献３】特開２００５−９２６９０号公報
【特許文献４】特開２００２−３１２２７０号公報
【特許文献５】特開２００２−１３５４５１号公報
【特許文献６】特許第３８２９１４３号公報
【特許文献７】特開２００６−３１９６３２号公報
【発明の開示】
【発明が解決しようとする課題】
【０００６】
上記特許文献１〜５に記載のシステムにおいて使用される２次元コードやバーコードなどの画像は、“０”と“１”の２値画像であり、コード画像であることを容易に認識できる明確なパターンであるため、携帯電話機のデジタルカメラによって撮影した写真画像内のどの部分がコード画像であるかを容易に判断してデコード処理することが可能である。しかしながら、これらの２次元コード等では簡単に複写ができるため、セキュリティ上の問題がある。
【０００７】
そこで、本発明においては、特許文献６，７に記載のような他の画像中にコード画像を埋め込むことができる技術を応用して真贋判定を行うことを可能にした真贋判定システム、真贋判定装置、真贋判定プログラムおよび真贋判定方法を提供することを目的とする。
【課題を解決するための手段】
【０００８】
本発明の真贋判定システムは、真正商品であることを特定するための商品情報と、各商品情報に関連付けられる識別情報とを管理するデータベースと、各商品に付される画像印刷物であって、識別情報が２ビット以上の階調の画素から構成される識別コードにエンコードされて含まれ、かつ識別コードの傾きを補正するための傾き補正コードが含まれた画像印刷物と、デジタルカメラにより撮影され、送信される、画像印刷物を含む２ビット以上の階調の画素からなる写真画像データを取得するデータ取得手段と、写真画像データに含まれる傾き補正コードから写真画像データに含まれる識別コードを正しい向きで抽出するコード抽出手段と、抽出した識別コードから識別情報をデコードするデコード手段と、デコードされた識別情報に基づいてデータベースに商品情報を照会し、商品の真贋を判定する判定手段とを有する真贋判定装置とから構成されるものである。
【０００９】
また、本発明の真贋判定装置は、真正商品であることを特定するための商品情報と、各商品情報に関連付けられる識別情報とを管理するデータベースに照会可能な真贋判定装置であって、デジタルカメラにより撮影され、送信される、各商品に付される画像印刷物であって、識別情報が２ビット以上の階調の画素から構成される識別コードにエンコードされて含まれ、かつ識別コードの傾きを補正するための傾き補正コードが含まれた画像印刷物を含む２ビット以上の階調の画素からなる写真画像データを取得するデータ取得手段と、写真画像データに含まれる傾き補正コードから写真画像データに含まれる識別コードを正しい向きで抽出するコード抽出手段と、抽出した識別コードから識別情報をデコードするデコード手段と、デコードされた識別情報に基づいてデータベースに商品情報を照会し、商品の真贋を判定する判定手段とを有するものである。
【００１０】
また、本発明の真贋判定プログラムは、コンピュータを上記真贋判定装置として機能させるためのものである。
【００１１】
また、本発明の真贋判定方法は、真正商品であることを特定するための商品情報と、各商品情報に関連付けられる識別情報とを管理するデータベースに照会可能な真贋判定装置による真贋判定方法であって、デジタルカメラにより撮影され、送信された各商品に付される画像印刷物であって、識別情報が２ビット以上の階調の画素から構成される識別コードにエンコードされて含まれ、かつ識別コードの傾きを補正するための傾き補正コードが含まれた画像印刷物を含む２ビット以上の階調の画素からなる写真画像データを取得すること、写真画像データに含まれる傾き補正コードから写真画像データに含まれる識別コードを正しい向きで抽出すること、抽出した識別コードから識別情報をデコードすること、デコードされた識別情報に基づいてデータベースに商品情報を照会し、商品の真贋を判定することを含む。
【００１２】
これらの発明によれば、各商品に付された識別コードおよび傾き補正コードを含む画像印刷物がデジタルカメラにより撮影され、この撮影された写真画像データが真贋判定装置へ送信されると、真贋判定装置は、この写真画像データに含まれる傾き補正コードを検出して識別コードを正しい向きで抽出し、抽出した識別コードから識別情報をデコードし、デコードした識別情報に基づいてデータベースに商品情報を照会し、商品の真贋を判定する。つまり、識別情報が２ビット以上の階調の画素から構成される識別コードの場合、２次元コードやバーコードなどのように明確ではないので、写真画像データ内のどの部分がコード画像であるかを容易に認識することができないが、本発明では、写真画像データに含まれる傾き補正コードにより識別コードが傾いていても正確に抽出してデコードすることができるので、このデコードされた識別情報に基づいて商品情報を照会し、商品の真贋を判定することができる。
【００１３】
ここで、画像印刷物には、識別コードおよび傾き補正コードのセットが角度を変えて複数含まれることが望ましい。これにより、画像印刷物がデジタルカメラにより撮影された際に、撮影された写真画像データが傾いていても、画像印刷物には正しい向きの識別コードが含まれる可能性が高くなり、識別コードの正しい向きでの抽出が容易となる。
【００１４】
また、このとき、傾き補正コードは、識別コードが含まれる領域を囲むように離間して配置された複数のコードのセットからなり、コード抽出手段は、写真画像データの中から傾き補正コードを構成する複数のコードのセットを検出することにより、この検出された複数のコードに囲まれる領域内の識別コードを正しい向きの識別コードとして抽出するものであることが望ましい。これにより、識別コードおよび傾き補正コードのセットが角度を変えて複数含まれる写真画像データが傾いていた場合に、写真画像データの中から、まず識別コードが含まれる領域を囲むように離間して配置された傾き補正コードを検出することによって、容易に正しい向きの識別コードを抽出することが可能となる。
【００１５】
あるいは、傾き補正コードが、識別コードが含まれる領域を挟む複数の基準線のセットからなり、コード抽出手段が、写真画像データの中から複数の基準線のセットを検出し、この検出された複数の基準線の傾きおよび間隔から、この検出された複数の基準線に挟まれた領域内の識別コードの傾きを補正して抽出するものである構成とすることが望ましい。これにより、写真画像データが傾いていた場合に、写真画像データの中から、まず複数の基準線のセットを検出することによって、容易に正しい向きの識別コードを抽出することが可能となる。
【発明の効果】
【００１６】
（１）識別情報が２ビット以上の階調の画素から構成される識別コードにエンコードされて含まれ、かつ識別コードの傾きを補正するための傾き補正コードが含まれた画像印刷物を含む２ビット以上の階調の画素からなる写真画像データを取得し、写真画像データに含まれる傾き補正コードから写真画像データに含まれる識別コードを正しい向きで抽出し、抽出した識別コードから識別情報をデコードし、デコードされた識別情報に基づいてデータベースに商品情報を照会し、商品の真贋を判定する構成によって、写真画像データに含まれる傾き補正コードにより識別コードが傾いていても正確に抽出してデコードすることができるので、このデコードされた識別情報に基づいて商品情報を照会し、商品の真贋を判定することができる。これにより、複写が困難であり、他の画像中に目立たないように埋め込むことができるスクリーンコードのような識別コードを利用して安全な真贋判定を行うことが可能となる。
【００１７】
（２）画像印刷物に、識別コードおよび傾き補正コードのセットが角度を変えて複数含まれる構成によれば、画像印刷物がデジタルカメラにより撮影された際に、撮影された写真画像データが傾いていても、画像印刷物には正しい向きの識別コードが含まれる可能性が高くなり、識別コードの正しい向きでの抽出が容易となるので、真贋判定装置の負荷を軽減し、コストダウンを図ることができる。
【００１８】
（３）傾き補正コードが、識別コードが含まれる領域を囲むように離間して配置された複数のコードのセットからなり、コード抽出手段が、写真画像データの中から傾き補正コードを構成する複数のコードのセットを検出することにより、この検出された複数のコードに囲まれる領域内の識別コードを正しい向きの識別コードとして抽出する構成により、写真画像データの中から、まず傾き補正コードを検出することによって、容易に正しい向きの識別コードを抽出することが可能となるため、さらに真贋判定装置の負荷を軽減することができる。
【００１９】
（４）傾き補正コードが、識別コードが含まれる領域を挟む複数の基準線のセットからなり、コード抽出手段が、写真画像データの中から複数の基準線のセットを検出し、この検出された複数の基準線の傾きおよび間隔から、この検出された複数の基準線に挟まれた領域内の識別コードの傾きを補正して抽出する構成により、写真画像データの中から、まず複数の基準線のセットを検出することによって、容易に正しい向きの識別コードを抽出することが可能となるため、真贋判定装置の負荷を軽減することができる。
【発明を実施するための最良の形態】
【００２０】
図１は本発明の実施の形態における真贋判定システム全体の概略構成図、図２は図１の主要部のブロック図である。
【００２１】
図１において、本発明の実施の形態における真贋判定システムは、各商品Ｇを管理するデータベース（以下、「ＤＢ」と称す。）１と、ＤＢ１に照会可能な真贋判定装置２と、各商品Ｇに付される画像印刷物としてのブランドシール３と、ブランドシール３を撮影して真贋判定装置２に真贋判定を依頼するデジタルカメラ付きの携帯電話機４と、ブランドシール３を付した各商品Ｇに関してＤＢ１への登録を行う登録装置５とから構成される。
【００２２】
ＤＢ１には、各商品Ｇが真正商品であることを特定するための商品情報と、各商品Ｇの商品情報に関連付けられる識別情報と、各商品Ｇの正当な所有者に関する所有者情報とが記録され、管理される。なお、本実施形態においては、ＤＢ１は真贋判定装置２内に構成されているが、登録装置５内に構成することも可能である。また、真贋判定装置２および登録装置５を一つのコンピュータにより構成し、ＤＢ１をこのコンピュータ内に構成することも可能である。あるいは、ＤＢ１は、全く別個のコンピュータ内に構成することも可能である。
【００２３】
真贋判定装置２は、真贋判定プログラムを実行するコンピュータにより構成される。真贋判定プログラムは、このコンピュータを、図２に示すように、携帯電話機４から送信される写真画像データを取得するデータ取得手段２０と、写真画像データから識別コードを抽出するコード抽出手段２１と、識別コードをデコードするデコード手段２２と、デコードされた識別情報に基づいてＤＢ１に商品情報を照会し、商品Ｇの真贋を判定する判定手段２３と、判定結果を携帯電話機４へ通知する判定結果通知手段２４として機能させるためのものである。
【００２４】
ブランドシール３には、そのブランドシール３が付される商品Ｇ自体や商品Ｇのメーカなどを表すロゴタイプ、記号やアイコンなどの商標画像が印刷されている。また、この商標画像には、ＤＢ１に記録される各商品Ｇの識別情報が、２ビット以上の階調の画素から構成される識別コードにエンコードされて含まれている。なお、識別情報は、各商品Ｇの１個ごとに異なっており、各ブランドシール３は見た目には変わらないが、実際には１枚ずつ異なるものであり、同じものは存在しない。また、商標画像には、識別コードの傾きを補正するための傾き補正コードが含まれている。なお、これらの詳細については後述する。
【００２５】
携帯電話機４は、デジタルカメラ機能によってブランドシール３を撮影し、このブランドシール３を含む写真画像データを取得可能なものである。また、携帯電話機４は、この取得した写真画像データを、携帯電話通信網やインターネット等の電気通信回線（図示せず。）を通じて真贋判定装置２へ送信することが可能なものである。携帯電話機４から真贋判定装置２への写真画像データの送信は、電子メールを利用する方法、あるいは、ｈｔｔｐやｆｔｐなどのプロトコルを利用する方法により行う。
【００２６】
登録装置５は、登録プログラムを実行するコンピュータにより構成される。登録プログラムは、このコンピュータを、図２に示すように、ＤＢ１に記録される各商品Ｇの識別情報を２ビット以上の階調の画素から構成される識別コードにエンコードするエンコード手段５０と、エンコード手段５０によりエンコードされた識別コードを発行するコード発行手段５１として機能させるためのものである。コード発行手段５１により発行された識別コードは、その識別コードの傾きを補正するための傾き補正コードとともに各商品Ｇの商標画像に埋め込まれ、ブランドシール３へ印刷される。
【００２７】
次に、商標画像中に埋め込まれる識別コードおよび傾き補正コードの詳細について説明する。なお、以下の説明では、１つの識別情報をエンコードした１つの識別コードと、この１つの識別コードの傾きを補正するための傾き補正コードとのセットを識別コードセットと称する。図３は携帯電話機４により撮影する領域を示す図、図４は１つの識別コードセットを示す図、図５は図４の識別コードセットの商標画像中への配置例を示す図である。
【００２８】
図３に示すように、携帯電話機４により撮影する領域Ｆは、ブランドシール３に印刷された商標画像の領域Ａを含む領域である。図４に示す識別コードセットＣは、商標画像の領域Ａ内に埋め込まれる。識別コードセットＣの具体的な埋め込み方法については、例えば特許文献６，７に記載の方法を用いることができる。
【００２９】
識別コードセットＣは、図４に示すように、１つの識別情報をエンコードした１つの識別コードを表すデータ領域Ｄ1〜Ｄ12と、この１つの識別コードの傾きを補正するための傾き補正コードを表す補正コード領域Ｓ1〜Ｓ4とから構成される。補正コード領域Ｓ1〜Ｓ4のセットは、識別コードが含まれるデータ領域Ｄ1〜Ｄ12を囲むように離間して配置されている。図４の例では、補正コード領域Ｓ1〜Ｓ4は、データ領域Ｄ1〜Ｄ12を囲むように四隅に配置されており、識別コードセットＣは、データ領域Ｄ1〜Ｄ12と補正コード領域Ｓ1〜Ｓ4とを合わせて、全体で４×４＝１６個の領域により構成されている。
【００３０】
なお、本実施形態においては、データ領域Ｄ1〜Ｄ12および補正コード領域Ｓ1〜Ｓ4は、それぞれ４×４＝１６ピクセルで構成されている。例えば、補正コード領域Ｓ1の傾き補正コードが“０１”の場合、図６（ａ）のように表す。同様に、図６の（ｂ），（ｃ），（ｄ）は、補正コード領域Ｓ2〜Ｓ4のそれぞれの傾き補正コード“０２”，“０３”，“０４”の例を表している。同様に、図７の（ａ）〜（ｌ）は、データ領域Ｄ1〜Ｄ12の値がそれぞれ“１”，“２”，“３”，“４”，“５”，“６”，“７”，“８”，“９”，“Ａ”，“Ｂ”，“Ｃ”の場合の例を表している。図８は図４のデータ領域Ｄ1〜Ｄ12および補正コード領域Ｓ1〜Ｓ4の各領域にそれぞれの値が表された例を示しており、この識別コードセットＣにより表される識別コードは、データ領域Ｄ1〜Ｄ12の値を一列に並べた値“１２３４５６７８９ＡＢＣ”である。
【００３１】
そして、このような識別コードセットＣは、図５に示すように所定の角度ずつ傾きを変えて円形状に配置されている。例えば、１度ずつ傾きを変えて、同じ識別コードセットＣが３６０個配置されている。なお、配置方法は、円形状以外に直線状や矩形状に配置してもよいが、各識別コードセットＣは所定の角度ずつ向きを変えて配置する。
【００３２】
次に、上記構成の真贋判定システムによる真贋判定方法について、図９のフロー図にしたがって説明する。
【００３３】
まず、ブランドシール３を発行するに当たり、登録装置５によって各商品Ｇに付する識別コードを発行する。登録装置５は、各商品Ｇの識別情報および商品情報をＤＢ１に登録するとともに（図９のステップＳ１００）、この識別情報をエンコード手段５０により２ビット以上の階調の画素から構成される識別コードにエンコードする（ステップＳ１０１）。このとき、識別情報は暗号化してエンコードされる。そして、登録装置５は、コード発行手段５１により、この識別コードに傾き補正コードを加えた識別コードセットＣを発行し（ステップＳ１０２）、ブランドシール３へ印刷する（ステップＳ１０３）。ブランドシール３の商標画像の領域Ａ内への識別コードセットＣの埋め込み方法は、前述の通りである。
【００３４】
そして、このブランドシール３を商品Ｇへ貼り付け（ステップＳ１０４）、販売する。ステップＳ１０５において、この商品Ｇを購入する購入者は、携帯電話機４によりブランドシール３を撮影し（ステップＳ１０６）、撮影した写真画像データを真贋判定装置２へ送信する（ステップＳ１０７）。写真画像データの送信は、前述のように電子メールやｈｔｔｐにより行う。真贋判定装置２は、データ取得手段２０により写真画像データを取得し（ステップＳ１０８）、コード抽出手段２１によって識別コードの抽出を行う（ステップＳ１０９）。
【００３５】
ここで、コード抽出手段２１は、図３に示す領域Ｆの写真画像データの全画素の中から傾き補正コードを探し出す。識別コードが正しい向きの場合、傾き補正コードは、図４に示すように識別コードセットＣの四隅の補正コード領域Ｓ1〜Ｓ4に存在するため、この四隅の補正コード領域Ｓ1〜Ｓ4のパターンと一致する領域を探し出す。このとき、写真画像データの中には、複数の識別コードセットＣが図５に示すように所定の角度ずつ傾きを変えて円形状に配置されているため、写真画像データが傾いていても必ず四隅の補正コード領域Ｓ1〜Ｓ4のパターンと一致する領域が存在する。なお、四隅の補正コード領域Ｓ1〜Ｓ4のパターンと一致する領域が見つからない場合、ブランドシール３は偽物であると判定する。
【００３６】
そして、コード抽出手段２１は、四隅の補正コード領域Ｓ1〜Ｓ4のパターンと一致する領域が見つかると、この補正コード領域Ｓ1〜Ｓ4に囲まれた領域内のデータ領域Ｄ1〜Ｄ12から識別コードを抽出する。この領域内の識別コードは、前述のように正しい向きの識別コードである。次に、真贋判定装置２は、デコード手段２２により抽出した識別コードから識別情報をデコードし（ステップＳ１１０）、このデコードされた識別情報に基づいて、判定手段２３によりＤＢ１に商品情報を照会し、商品Ｇの真贋を判定する（ステップＳ１１１）。判定結果は、判定結果通知手段２４により携帯電話機４へ通知する（ステップＳ１１２）。判定結果の通知は、電子メールやｈｔｔｐを利用して行う。
【００３７】
また、判定の結果、商品Ｇが真正であった場合、判定手段２３は判定結果とともに商品Ｇの正当な所有者に関する所有者情報をＤＢ１に登録する。所有者情報としては、携帯電話機４から送信された電子メールの送信元アドレスや、ｈｔｔｐを利用した際に携帯電話機４の固体認証番号を登録する。これにより、正当な所有者から再度写真画像データが送信されて判定要求があった場合に、正当な所有者であることを判定することが可能となる。
【００３８】
なお、上記実施形態においては、写真画像データの傾きに拘わらず、識別コードを正しい向きの識別コードとして抽出するため、図５に示すように、識別コードセットＣを所定の角度ずつ傾きを変えてブランドシール３内に円形状に配置する方法を採用したが、他の例として図１０に示すように識別コードが含まれるデータ領域Ｄを挟む複数の基準線Ｌ1，Ｌ2のセットＬによって傾き補正コードを構成し、基準線Ｌ1，Ｌ2のセットＬとデータ領域Ｄとにより識別コードセットを構成することも可能である。
【００３９】
このとき、コード抽出手段２１は、写真画像データの中から複数の基準線Ｌ1，Ｌ2のセットＬを検出し、この検出された複数の基準線Ｌ1，Ｌ2の傾きおよび間隔から、この検出された複数の基準線Ｌ1，Ｌ2に挟まれたデータ領域Ｄ内の識別コードの傾きを補正して抽出する。この方法であっても、写真画像データの傾きに拘わらず、識別コードを正しい向きの識別コードとして抽出することが可能であり、前述と同様に、商品Ｇの真贋判定を行うことが可能である。
【００４０】
なお、本実施形態においては、商標画像に識別コードセットＣを埋め込んだブランドシール３を貼り付けることにより、各商品Ｇに識別コードセットを付する例について説明したが、これ以外に、例えば、商品Ｇに直接印刷したり、商品Ｇのパッケージに印刷したりすることも可能である。
【００４１】
また、本実施形態における携帯電話機４に代えて、デジタルカメラが接続されたＰＤＡを使用して写真画像データを真贋判定装置２へ送信したり、別のデジタルカメラにより撮影した写真画像データをパーソナルコンピュータによって真贋判定装置２へ送信したりする構成を採用することも可能である。
【００４２】
また、本実施形態においては、ブランドシール３の商標画像に識別コードセットＣを埋め込む方法を採用したが、図１１に示すような二次元コード画像１００に埋め込むことも可能である。この場合、二次元コード画像１００は、真贋判定装置２へアクセスするためのＵＲＬ（Uniform Resource Locator）を表すものとし、この二次元コード画像１００中に前述の方法により識別コードセットＣを埋め込む。なお、識別コードセットＣを埋め込む位置はどこでも良いが、二次元コード画像１００に含まれるＵＲＬ情報への影響を排除するためには、二次元コード画像１００の位置検出用のシンボル１０１，１０２，１０３に埋め込むことが望ましい。
【００４３】
このような構成によれば、携帯電話機４によりこの二次元コード画像１００を撮影すると、携帯電話機４の標準機能によりＵＲＬへと変換され、真贋判定装置２へ自動的にアクセスすることが可能となる。そして、この二次元コード画像１００を真贋判定装置２へ送信することで、真贋判定装置２は、この二次元コード画像１００から前述と同様に識別コードを抽出するので、商品Ｇの真贋判定を行うことが可能である。
【産業上の利用可能性】
【００４４】
本発明は、デジタルカメラ付き携帯電話機やデジタルカメラが接続されたＰＤＡ等のデジタルカメラを利用して商品の真贋を判定するための真贋判定システム、真贋判定装置、真贋判定プログラムおよび真贋判定方法として有用である。
【図面の簡単な説明】
【００４５】
【図１】本発明の実施の形態における真贋判定システム全体の概略構成図である。
【図２】図１の主要部のブロック図である。
【図３】携帯電話機により撮影する領域を示す図である。
【図４】１つの識別コードセットを示す図である。
【図５】図４の識別コードセットの商標画像中への配置例を示す図である。
【図６】補正コード領域の傾き補正コードの例を示す図である。
【図７】各データ領域の値の例を示す図である。
【図８】図４のデータ領域および補正コード領域の各領域にそれぞれの値が表された例を示す図である。
【図９】本発明の実施の形態における真贋判定システムによる真贋判定のフロー図である。
【図１０】識別コードセットの別の例を示す図である。
【図１１】二次元コード画像に識別コードセットを埋め込んだ例を示す図である。
【符号の説明】
【００４６】
Ｇ  商品
Ｃ  コードセット
１  データベース（ＤＢ）
２  真贋判定装置
３  ブランドシール
４  携帯電話機
５  登録装置
２０  データ取得手段
２１  コード抽出手段
２２  デコード手段
２３  判定手段
２４  判定結果通知手段
５０  エンコード手段
５１  コード発行手段
【図１】
2009159474.tif 000003
【図２】
2009159474.tif 000004
【図３】
2009159474.tif 000005
【図４】
2009159474.tif 000006
【図５】
2009159474.tif 000007
【図６】
2009159474.tif 000008
【図７】
2009159474.tif 000009
【図８】
2009159474.tif 000010
【図９】
2009159474.tif 000011
【図１０】
2009159474.tif 000012
【図１１】
2009159474.tif 000013